(57)【要約】【課題】  墓石や石塔は地震によって転倒し易く、剛構造の手段によってこれの防止を図ることは製造費、工事費の高価格化となり易くまた、既設の墓石には適応し難く狭小な旧来墓地など立地的にも対応し難いものであった。柔構造の手段によるものも製造が難しいなどの難点があった。これらの位置ずれや転倒倒壊を防止する現実的な工法を提供する。【解決手段】  基段に固定される突起錐体に台座石が関与し、端部に円錐形状を形成する浮動状態の中子各１個を夫々接する上下の各役石固体に関与させることによって、各層の役石固体それぞれに穿孔した同心の貫通孔または有底孔を通して地震による複雑な振動を穿孔内に該錐体が作る振動余地空間で振動吸収する免震構造による手段をもって墓石の位置ずれと転倒倒壊を防止する。【選択図】図１
2005016289.tif 000002
【特許請求の範囲】
【請求項１】
複数の役石を重層設置する墓石または墓石様石造物において、上部主体石には有底孔を穿設し、主体石より下層の役石（役石体の代わりに）には該有底孔と同心の貫通孔または有底孔を穿設し、その孔内に中子を載置してなる墓石または墓石様石造物であって、上下に接する２石の役石同士を１個の中子で位置決めをし、少なくともそのうち１石と中子は遊嵌し、中子の端部形状が錐体であることの作用によって該役石の地震振動吸収と、地震の鎮静と同時に位置と姿勢の原状復元を自然に実現することを特長とした免震構造墓石または墓石様重層石造物。
【請求項２】
役石ことに上部主体石の底面周縁部を円弧状に面取りしたものである、請求項１記載の免震構造墓石または墓石様重層石造物。
【請求項３】
役石に穿設された貫通孔または有底孔の下端周縁部を面取りしたものである、請求項１又は請求項２記載の免震構造墓石または墓石様重層石造物。
【請求項４】
基段上に突設された突起錐体に最下段の役石である台座石の貫通孔または有底孔を遊嵌させて当該台座石を据設するものであり、該突起錐体の形状が錐体である請求項１、請求項２又は請求項３記載の免震構造墓石または墓石様重層石造物。
【請求項５】
中子は、その上部又は下部或いはその両方が錐形である、請求項１、請求項２、請求項３又は請求項４記載の免震構造墓石または墓石様重層石造物。
【請求項６】
上部主体石の上に乗せる笠石などと上部主体石の間、水鉢や花立て、香立てと基段の間も、小型の中子で連結するものである、請求項１、請求項２、請求項３、請求項４又は請求項５記載の免震構造墓石または墓石様重層石造物。
【発明の詳細な説明】
【技術分野】
【０００１】
本発明は石造固体を積重ねて成る墓標、墓石及びこれに類する石造物の免震構造に関するものである。
【背景技術】
【０００２】
従来、墓石等の石造固体を積重ねて成る構築物に対する耐震あるいは免震技術は、一般的に上下関係にある固体石同士、あるいは土台構造物から上部竿石まで一本の穿孔を通して全てを金属製ボルトで締め付け、隙間にモルタルを充填する等の所謂剛構造工法によって墓石の一体化を図り墓石の転倒や位置ずれを防止するものが普通であった（例えば特許文献１参照）。
【０００３】
こうした剛構造工法に対して柔構造工法と言える手段をもって転防止を図るものがある（例えば特許文献２参照）。また、前記２例の折衷的なものと思慮できるものもある（例えば許文献３参照。）。
【特許文献１】特開平１０−３７５３２号公報
【特許文献２】特開２００２−３８７６９号公報
【特許文献３】特開平９−３１７２４８号公報
【発明の開示】
【発明が解決しようとする課題】
【０００４】
一般的墓石において前記した剛構造の技術を含め、従来技術は積層する石材を強力に一体化物として固めその強度をもって地震時の振動に耐えようとするところにその特徴がある。
【０００５】
従って製造工場において完成したものは１個の石造物体として存在し、その重量は１トンを遥かに超えたものとなるのが普通であり、狭小な墓地現場などにおいては大型機械の使用が不可能である場合が多く、場内の小運搬や据付け工程などその取扱いはより困難なものとなることが多かった。
【０００６】
また、前項に掲げた技術（特許文献１）が示していると考えられる墓石を組み物の単体として墓地に搬入し現地組立が可能な技術の場合であっても、狭小な墓地現場において従来になく複雑な組立や強力な固定化工程を施工することや、コンフリートエも加わるとすればそれなりの長い工期も必要となり、工事全体としては作業性が悪く困難な作業となることが考えられるし、伴う工事費も相当に高くなるのも自然の成り行きである。
【０００７】
また前記は既設の墓石を対象としていないものである。
【０００８】
従来技術は地震と言う自然の強大な力に対して、これに耐え得る力をもって対峙しようとするものであり、予測を超えた震度や予測範囲の震度であっても墓石自体の重量や揺れの波動が反発、呼応、共振、同調するなど予想外の複雑な作用に重量物故の強い加速度が加わるものであり、剛構造で耐え得るものかが懸念されるばかりかその工事費は相当に高いものになりやすかった。
【０００９】
前項に掲げた技術（特許文献２）に見られる例は、上下方向についてのみ解放がなされそれは柔構造と言えるものであるとしても、横方向についての融通は全く無いものであるからこれは剛構造であると見ることが出来る。
【００１０】
前項に掲げた技術（特許文献３）に示される例は柔構造であり、大きさの異なる２石を組合せた形を現す石を１原石から削り出すことで転倒耐力を図ろうとするものであり、免震工法である。本例は転倒を難しくすることは可能としても、先ず石自体の製造が極めて困難な工法であると思慮される。製造が難しいものは高コストとなるのが自然である。
【００１１】
これまでに詳述した現状を踏まえた上で、工場生産を容易とし、築墓現場における施工性を良好とし、旧来の既設墓石への改造施工も可能とする比較的廉価な施工費を実現する、もとより効果的な現実味のある技術が待望されていたものである。
【課題を解決するための手段】
【００１２】
上記課題とする困難さや危惧を解消し廉価で安全性の高い墓石を提供するために本発明は成されたもので、従来技術が主として剛構造であるのに対し本発明では柔構造として課題の解決に当るものであり、剛構造とは対極に位置するものであって、他の従来技術とも明確に一線を画すものである。
【００１３】
現代における墓所は一般的に箱を伏せた状態の土台構造物を納骨室及び基段としてコンクリート造りや板石を組み立てる形の石造りで構築し、その上に墓石として台座石を置き、その上に中台石、さらに竿石と称される文字などが刻み込まれた石である主体石を立てると言う構成となっている。
【００１４】
上記構成を踏まえて、本発明においては竿石にはその平面上の中心に底部から上方へ有底孔を穿設し、台座石と中台石には有底孔と同心の貫通孔を穿設する。
【００１５】
基段の天端中心部に円錐台形を成す位置決めと振動吸収のための突起錐体を強固な手段で突設し、前記台座石の貫通孔をこの突起錐体に遊嵌させて台座石を据え付ける。このとき孔径と突起錐体の底面直径の関係は僅かに遊びと言える余裕がある程度であり、この遊びの範囲内の誤差で台座石の位置決めが正確に決定付けされるもので、突起錐体と台座石は対（つい）として作用する。
【００１６】
該貫通孔の中に隠れた前記突起錐体の上に、次に来る役石の位置決めを決定付けるための１番目の中子を縦に積み上げる様に載置するが、この中子の形状は概ね中ほどから下部は円柱状を成して該貫通孔内に遊嵌し、中ほどから上部は先細りの円錐台形を成して台座石の上方に突出する。
【００１７】
次いで前記突出する中子に次段石である中台石の貫通孔を嵌めるように中台石を据設し、この中子と中台石の組合せを２段目の１対体とする。
【００１８】
次に、既設した中子と同様の中子を２番目の中子として中台石の貫通孔内に同様に立てて載置し、中台石から突出するこの円錐形の中子に最上部の竿石の有底孔を遊嵌させて竿石を据設し、これを３段目の１対体とする。
【００１９】
この場合はこの３段目が最終段の対であるが、さらに多段式の墓石等の場合は１段目と最終段の間に２段目と同様な物が必要数だけ増設される。
【００２０】
このような構成で組み上げられた墓石は基段から最上段の竿石まで上下関係が固着固定は成されておらず、平面上の横ずれに対する位置決めのみに規制を加えた墓石一体が出来上る。
【００２１】
実験によると強力な震度であれば石が水平を保持したままで揺れるものでは無く、例えるならば個々の石が踊るが如くに盤上で乱動する。
【００２２】
いま地震によって不規則な振動が加わると、縦揺れや横揺れが同時に墓石を直撃するが地震の振動は複雑なものであり、こうした免震や耐震構造のレベルで考えるとき単に縦揺れ横揺れだけで捉えることは実際的でなく３次元方向に不規則的に振動するもので、それが強力なものであったとき瞬時であれ宙に浮き落下することの繰り返しが乱動であり振動そのものである。
【００２３】
振動が続く間は役石それぞれは激しく乱れ動くが該突起錐体及び中子の作用によってその定位置がずれることは無い。
【００２４】
しかしその中にあって竿石の動きは独特なもので、竿石はそれ自体が底面が他の役石よりも比較的狭小で重心が高いために揺れに対しては極めて不安定であり、強震ともなると横ずれするよりも先に転倒するのであり、本発明においては連接載置する２番目の中子の上部錐体形状部分が有底孔の内側において作り出す空間的余裕の範囲内で竿石が自由に揺れ動くことで振動を吸収しつつ、一定以上の傾きは該中子の上部部分が内部で支持体として働き竿石の転倒を防止するのである。
【００２５】
積重された石は地震の振動によって乱動するが、前記突起錐体や中子の円錐体形状と各石の貫通孔や有底孔の孔径が作り出す余裕的空間の存在が振動中の石の乱動を充分に起こす余地として作用し、石の乱動すなわち振動の吸収を実現するものである。
【００２６】
揺れが収まることに連動して、それまで激しく動いていた石も自重により落ち着くがそのとき石の自重が、穿孔下端縁部を介して該突起錐体と中子の円錐体形状にそれぞれ作用して復元機能として働き、よって石固体は穿孔下端縁部と錐体形状に誘導案内され元の位置に自然に復元定着するのである。
【００２７】
以上で説明した墓石の構成は、わが国で主流の和型と呼ばれる三段墓についてのものである。三段墓は一般的に、土台となる芝台の上に墓石として中台を置き、その上に上台石、さらに竿石を立てると言う構成となっている。ただ、これらの名称は地域差もあり、本発明では芝台（下段、下石とも言う）を基段、中台を台座石、上台（上台石、うわ石、上段とも言う）を中台石としている。また、竿石（棹石とも言う）は、石碑としての中心的役割を荷う石のことで、主体石とも言う。尚役石とは、主体石、台座石、中台石のことを言うが、主体石の上に乗せる笠石（擬帽子）や水鉢や花立て、香立てなどを付属品的な役石と言うこともある。
【００２８】
更に本発明は、加工された石材を積重ねて成る主として墓石（墓標）に限らず、同様に積重ねて構築がなされる記念碑、モニュメント、灯篭、層塔、多宝塔、道標、なども対象に含む。従来、これらも地震に耐える構成となっていないものが多い。そして、例えば多宝塔の場合、基礎、軸部、首部などからなるが、基礎、軸部、首部を役石、首部を主体石と考えれば、本発明がそのまま応用できる。
【００２９】
次に、本発明中に言う中子（なかご）について説明する。中子とは、本来は刀剣の柄の中に位置する支持体を指す名称であるが、本発明においても中に在って外側体を支えるその所在と目的が共通するものであり、表現上これを流用した。そして、上下に接する２石の役石同士を１個の中子で位置決めをし、少なくともそのうち１石と中子は遊嵌し、中子の端部形状が錐体であることの作用によって該役石の地震振動吸収と、地震の鎮静と同時に位置と姿勢の原状復元を自然に実現する。
【００３０】
従って、中子は一方が柱状、他方が錐状で、一般的には円柱状、円錐状である。しかし、有底孔や貫通孔の形状によっては、角柱や角錐体形、角錐台形、多角錐体形、多角錐台形、または該錐体が曲線で形成される曲錐体形等のものも使用可能である。また、通常錐状のものを上向きに使用するが、下向きに使用することもできる。両端を錐状にしたものも使用でのる。この場合、役石の傾斜が大きくなる。
【００３１】
また、中子の他に基段に設ける突起錐体の先端も円錐以外のかたちが使用できる。更に、主体石（竿石）と笠石（擬帽子）の連結部、基段と香立てや花立ての間にも小中子や小型の突起錐体を設置することで、これらを地震による倒壊から防ぐことができる。更に、振動による墓石の回転ずれを防止するために、中子の取り付け位置とは離れた位置に、小中子や小型の突起錐体などからなる小位置決め体を併設するも考えられる。
【発明の効果】
【００３２】
これまでに詳述したように本発明によって次のような多くの効果が生じる。まず、形の上から最も不安定である竿石は他の階層石と異なり先ず先に転倒崩壊する石であるが、これに対しては有底孔１１と中子９の存在と組合せによる作用及び中子９の形状による作用で、竿石１０が大きく傾くつまり振れる余地を予め用意しておくことで、竿石を転倒させるほどの強い地震であっても振動を吸収し転倒崩壊を防止する効果を実現した。
【００３３】
各役石の自重が穿孔下端縁部を介して突起錐体と中子の円錐体形状に作用して復元機能として働き、それまで乱動していても地震が収まれば役石固体は穿孔下端縁部と錐体形状に誘導案内され元の姿勢に自然に復元し安定する。
【００３４】
台座石には突起錐体２を、上部石にはそれぞれに中子をと、階層石毎に独立した原状回復のための円錐体形状を対応させることによりこれまで無かった柔構造を効果的な構造で廉価に実現した。
【００３５】
また、振動による墓石の回転ずれを防止するために図１に示す小位置決め体ｂを併設することも高い効果がある。
【００３６】
前記小位置決め体ｂを設置しない各役石の固体階層においては地震によって回転ずれの現象が必然的に起るが、本発明の眼目は墓石の倒壊防止と修復経費の発生抑止または軽減にあり、この目的を達成出来た地震後は自前の人力をもって回転ずれを簡単に修正出来ることも経費節減効果である。
【００３７】
重層設置される１役石に対して１個の円錐体形状が独自に対応させることを主たる構成要素の１つとする本発明構成の結果、個々の位置決めと個々の振動吸収が全体の位置決めと振動吸収効果を実現するものであるから、他の形式に則った役石段数の異なる墓石または墓石様石造物についても必要とする増設を、新規穿孔と中子の増設だけで自在に可能とするもので効率的な汎用性効果がある。
【００３８】
図３のｄに示す如く各石に穿設された孔の下端縁部をｌｍｍ乃至５０ｍｍ程度の幅で円錐孔の形状に面取り加工することは、これに接する突起錐体２や各中子の円錐体形状に馴染み易いものとなり、各石の位置決め性や振動後の原状復帰性を誘導し高める効果がある。
【００３９】
旧来の墓石が本震の揺れに対して辛うじて倒壊を免れたとする時も、墓石は相当に位置ずれを起こしていることが考えられ、その後の余震に耐えることが出来ない状況は想像に難くないのが地震である。本発明による柔構造は劣化することが無いものであるから、代々受け継がれる人の世と共に墓石の無事が引き継がれるのであるから極めて経済的工法であると言える。
【００４０】
墓参という人の行動は墓石と人を極めて密接な関係で成り立たたせており、墓参時に地震と遭遇するなどの可能性も否定できないもので本発明において地震時の転倒倒壊を防止ならしむことは、予知の叶わぬ地震発生と遭遇に対して信頼のおける安全性を確立したと言えるものである。
【発明を実施するための最良の形態】
【００４１】
上部主体石には有底孔を穿設し、主体石より下層の役石には該有底孔と同心の貫通孔または有底孔を穿設し、その孔内に中子を載置してなる墓石において、上下に接する２石の役石同士を１個の中子で位置決めをし、少なくともそのうち１石と中子は遊嵌し、中子の端部形状が錐体であることの作用によって該役石の地震振動吸収と、地震の鎮静と同時に位置と姿勢の原状復元を自然に実現する。
【実施例１】
【００４２】
以下、本発明装置を、図面に基づいて詳細に説明する。図１で基段１の上に突起錐体２をボルト３などの強固な手段をもって突設し位置決め体ａとする。
【００４３】
台座石４と中台石５の中心には貫通孔６及び７を穿設し、この貫通孔６に該突起錐体２を遊嵌させながら台座石４を据殺して位置を決定付け、その上に中台石５を重ねて据設する。
【００４４】
中子８及び９の胴体は円柱形をなし、概ねその長さの２分の１程度上部が円錐台形であり、中子９は特にこの円錐台形上部を長くしているがこれは対応する竿石の高さに合わせている。
【００４５】
これら部材の材質は突起錐体２及び中子共に耐腐食性金属か有機樹脂など耐破損性の高いものであることが条件となるが、型抜きの手段をもって製造される樹脂製とするのが廉価で好ましい。
【００４６】
中子８を縦にして貫通孔６に挿入し該突起錐体２上に載置することで中台石５の位置は決定付けされる。このとき中子８の円柱部が台座石の上にｌｍｍ乃至１０ｍｍ程度出るものとし、これに貫通孔が遊嵌して中台石５の位置決めが正確になされる。
【００４７】
次に中子９を前記同様に貫通孔７に挿入し中子８上に載置するが、前記と同様に中子９の円柱部が中台の上部にｌｍｍ乃至１０ｍｍ程度出ることを含めて円錐台形の部分が貫通孔７から突出する。
【００４８】
次いで最上段である竿石１０の平面上の中心位置に底面から上方に有底孔１１を穿設し、この孔に該中子９を遊嵌させて竿石１０を据設する。このとき中子９の上端は有底孔の天井に接触することなく若干の間隙がある。
【００４９】
前記中子８、９の胴体直径及び突起錐体２の底面直径と、貫通孔６、７及び有底孔１１の直径は遊嵌する大きさ関係にあり、若干の所謂遊びがある程度が良い結果が得られる。
【００５０】
墓石が静置状態にあるときは中子と孔とが遊び程度の間隙をもって位置決めが成され、地震時の強い振動に対しては上方が解放されたままであるから自在に浮き上り、また中子等の円錐体形状と穿孔内壁との間に形成された空間ｃ１〜ｃ３を墓石の振れ動く余地、すなわち振動吸収可能な余地とし、本発明免震構造の重要な要素としている。
【００５１】
図２は本発明の作用を地震に翻弄される墓石の状態にして図示したもので、一方向に強力な揺れが作用した一瞬であり、竿石１０は中子９によって支持され転倒を免れた状態である。
【００５２】
各錐体の周辺の空間ｃ１〜ｃ３は各役石体乱動の余地であり範囲であって、基準線である垂直線ｘから傾斜線ｙ、そして反動線ｚに至る角度ｙ，０，ｚが概略の振動吸収可能余地である。
【００５３】
この振動吸収可能余地はｃ１〜ｃ３の空間が可動角として概略合計された場合を示すものであり、竿石の振れが最大限に働いた場合を示す。
【００５４】
墓石等の形式によると主体石の上に笠石や擬帽子などの上層石を有するものもあり、これらは主体石に比べると遥かに小なるものであり、図１に示す様により小径の小中子１３を逆さにして笠石１４等に接着等の手段で固着一体化し、主体石に穿股した有底小孔１２に該小中子１３を挿入しながら該笠石等を据設する。
【００５５】
上記のように構成された墓石は地震時の複雑な振動に対して柔軟な動きで呼応共振し振動を吸収することが出来るもので、こうした所謂柔構造によって振動を吸収し墓石の位置ずれや倒壊を防止するものである。
【００５６】
図３のｄに示す如く各役石に穿設された孔の下端縁部を１ｍｍ乃至５０ｍｍ程度の幅で円錐形状孔に面取り加工することで、これに接する突程錐体２や各中子の円錐形状に馴染み易くすることは効果的な形状である。
【００５７】
各役石に穿孔するにあたり主体石以下全て単純な同径孔とし、墓石製造時に工場加工によって穿孔することが最も経済的であって好ましい。しかし本発明は既設の墓石に対しても現地加工と石の組み直し施工を可能としており、既設の墓石に対しては次善の策として経済的に実現することが出来る。
【００５８】
墓石の形式によれば前述した基段を構築すること無く、台座石が直接地面ｅ上に据設される場合もあるがこうした場合には、図４の台座石４に示す様に突起錐体は省略し台座石に穿殺する孔も上方からの有底孔として穿設し、この中に中子１６を立設載置し更に上部石と上部中子が積上げられるのは前述の例と同様である。
【００５９】
台座石の上に載置される上部役石において本発明の構成は、役石の１固体に対して中子１個を対として、同様の対を順次積重ねて夫々の位置決めをするため、振動に対しては各役石体階層夫々が乱動して振動吸収に働く。地震の振動は複雑なものであるからこれに対して有効な結果を得るため各役石毎に３次元方向に独自の振動吸収の余地を取ったものである。
【実施例２】
【００６０】
図４に示すように、これまで述べた貫通孔に代えて有底孔とすることも可能であり効果は同様であるが、有底孔であれば雨水の滲入滞留によって寒冷地等では凍害の発生もあり、貫通孔の方が優れる。有底孔内で遊嵌する中子の円柱形部分を接着固定して雨水の滲入を防止することも良い。
【００６１】
付属品的な別の役石である香立てや花立てにも小型の突起錐体を設置することで地震による倒壊を防止することができる。
【００６２】
また、振動による墓石の回転ずれを防止するために図２に示す位置決め体ｂを併設することも有効である。
【００６３】
或いは、図５に示すように、竿石１０と中台石５のみを中子９で連接するようにしてもよい。笠石１０の転落を防止すればそれ以下の役石はずれて台から外れるまでは落下せず、従って損傷はないままに地震が終息することもあるので、このような簡易タイプでも安価な割りに効果があるものである。中台石５の孔と中子９は、のりづけしておいてもよい。
【実施例３】
【００６４】
次に、図６は中子８Ａ、９Ａが上下両端部とも円錐状をした他の例を示す。この場合、竿石１０の振れ角ｙＡは図２の振れ角ｙｘよりも大きくなり、振動吸収に有利となる。中台石５の場合も同様である。
【００６５】
尚、図６のものは、竿石（上部主体石）１０の底面周縁部１０ａを円弧状に面取りしている。これは、振動実験の結果、振動により底面周縁部１０ａが非常に欠けやすいことが判明したことにより対処したものである。該箇所にアールを設けることはその分だけ竿石１０の底辺が小さくなるので、揺れを促進させる、つまり振動吸収を促進させることになる。
【００６６】
墓石によっては、図７に示すように、中台石５の状面中央部分に、竿石１０底部と同じ寸法の小台５Ａを設けることがある。このように場合、竿石１０の振動によって底面周縁部１０ａ、特に両者の交点Ｋ部分に欠けが生じやすい。そこで、図８のように、竿石の底面周縁部１０ａと小台５Ａの周縁部５Ａａにも円弧状の面取りを設けるとよい。
【産業上の利用可能性】
【００６７】
地震による墓石等の倒壊が防止乃至軽減され、社会的に余分なコストを逓減できる。また、人身事故を減らせるなどの効果もある。
【図面の簡単な説明】
【００６８】
【図１】本発明免震墓石の断面図である。（実施例１）
【図２】本発明免震墓石の１作用を示す断面図である。（実施例１）
【図３】本発明免震墓石の実施例を示す１部拡大断面図である。（実施例１）
【図４】本発明免震墓石の他の例を示す断面図である。（実施例２）
【図５】本発明免震墓石の他の例の変形例を示す断面図である。（実施例２）
【図６】本発明免震墓石の更に異なる他の例を示す断面図である。（実施例３）
【図７】図６に示す墓石の変形例を示す部分平面図である。（実施例３）
【図８】同じく図６に示す墓石の変形例を示す断面図である。（実施例３）
【符号の説明】
【００６９】
１：基段
２：突起錐体
３：ボールト
４：台座石
５：中台石
６，７：貫通孔
８，９：中子
１０：竿石
１１：有底孔
１２：有底小孔
１３：小中子
１４：笠石
１５：納骨室
１６：中子
ａ：位置決め体
ｂ：小位置決め体
ｃ１，ｃ２，ｃ３：空間
ｄ：面取り
ｅ：地面
ｏ：中心点
ｘ：垂直線
ｙ：傾斜角線
ｚ：反動線である。
【図１】
2005016289.tif 000003
【図２】
2005016289.tif 000004
【図３】
2005016289.tif 000005
【図４】
2005016289.tif 000006
【図５】
2005016289.tif 000007
【図６】
2005016289.tif 000008
【図７】
2005016289.tif 000009
【図８】
2005016289.tif 000010